(57)【要約】【課題】  本発明は、複数の異なる伝送能力を有する移動局が混在し基地局と通信する場合に、移動局における消費電流の低減を図ることを目的とする。【解決手段】  本発明においては、自局のデータの伝送能力の範囲を示す第１の伝送能力情報をネットワークに通知する移動局において、前記第１の伝送能力情報に示される伝送能力の範囲とは異なる第２の伝送能力情報に示される伝送能力の範囲を示す情報を受信すると、該第２の伝送能力情報に示される伝送能力の範囲に応じた受信処理を行うよう制御する制御部を備えたことを特徴とする移動局を用いる。【選択図】      図６
2009224972.tif 000002
【特許請求の範囲】
【請求項１】
自局のデータの伝送能力の範囲を示す第１の伝送能力情報をネットワークに通知する移動局において、
前記第１の伝送能力情報に示される伝送能力の範囲とは異なる第２の伝送能力情報に示される伝送能力の範囲を示す情報を受信すると、該第２の伝送能力情報に示される伝送能力の範囲に応じた受信処理を行うよう制御する制御部を備えたことを特徴とする移動局。
【請求項２】
前記制御部は、前記第２の伝送能力情報に示される伝送能力の範囲に応じて、受信処理のタイミング、用いるコード数、及び、用いる復調方式のいずれかを変更する制御を行うことを特徴とする請求項１記載の移動局。
【請求項３】
前記伝送能力情報はカテゴリ情報であることを特徴とする請求項１記載の移動局。
【請求項４】
データの伝送能力の範囲の異なる複数の移動局と無線通信を行う基地局において、
第１の移動局でのデータの伝送能力の範囲を示す第１の伝送能力情報と、第２の移動局でのデータの伝送能力の範囲を示す第２の伝送能力情報とを受信する受信部と、
該第１の移動局へ、該第２の伝送能力情報に示される伝送能力の範囲を示す情報を送信する送信部と、
を備えたことことを特徴とする基地局。
【請求項５】
受信した前記第２の伝送能力情報を保持し、該第２の伝送能力情報に示される伝送能力の範囲を示す情報を前記第１の移動局へ送信した後は、該第１の移動局及び該第２の移動局に対し、該第２の伝送能力情報に示される伝送能力の範囲でデータ伝送を行う制御をする制御部を備えたことを特徴とする請求項４記載の基地局。
【請求項６】
移動局から送信された該移動局のデータの伝送能力の範囲を示す伝送能力情報を基地局が受信すると、該基地局は受信した該伝送能力情報に基づいて該移動局に対しデータ伝送を行う無線通信システムにおいて、
前記基地局は、複数の異なる移動局のそれぞれから伝送能力情報を受信すると、受信した該伝送能力情報のうちのいずれかの伝送能力情報に示される伝送能力の範囲を示す情報を該移動局へ送信し、該移動局へ送信した該情報に示される伝送能力の範囲で該移動局に対しデータ伝送を行い、
前記移動局は、該基地局から送信された該情報を受信すると、該情報に示されるデータ伝送能力の範囲に応じた受信処理を行う制御をする、ことを特徴とする無線通信システム。
【発明の詳細な説明】
【技術分野】
【０００１】
本発明は、無線通信における通信方法の設定を変更する移動局、基地局、及び、無線通信システムに関する。
【背景技術】
【０００２】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）は、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式における下り方向のデータ伝送速度の高速化（１４Ｍｂｐｓ）や遅延の低減を目指した無線通信技術であり、３ＧＰＰ（３ｒｄ  Ｇｅｎｅｒａｔｉｏｎ  Ｐａｒｔｎｅｒｓｈｉｐ  Ｐｒｏｊｅｃｔ）Ｒｅｌｅａｓｅ５において標準化が進められている。
【０００３】
ＨＳＤＰＡでは、適応変調符号化技術を用いることにより、無線環境の変動に応じて、例えば変調方式や多重するコード多重数（拡散コードの割り当て数）等を適応的に変化させてデータ伝送を行うことを特徴の一つとしている。
【０００４】
ＨＳＤＰＡの下り方向のデータ伝送に用いられる無線チャネルには、複数の移動局で共有可能なＨＳ−ＳＣＣＨ（Ｈｉｇｈ  Ｓｐｅｅｄ−Ｓｈａｒｅｄ  Ｃｏｎｔｒｏｌ  Ｃｈａｎｎｅｌ）及びＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）がある。
【０００５】
ＨＳ−ＳＣＣＨは、ＨＳ−ＰＤＳＣＨにおけるデータ送信方法に関する各種のパラメータを移動局に通知するための制御チャネルである。ＨＳ−ＳＣＣＨにより通知されるパラメータ情報には、例えば変調方式、コード多重数、データサイズ等が含まれる。
【０００６】
ＨＳＤＰＡの基本的なチャネル構成については、例えば特許文献１に開示されている。
【０００７】
また、ＨＳＤＰＡにおいては、図１に示すようなカテゴリにより移動局の伝送能力を示すパラメータが定義されている（例えば非特許文献１）。カテゴリは移動局ごとに設定されており、カテゴリ番号が大きいほど通信時におけるスループットが大きくなる傾向にある。
【０００８】
ＨＳ−ＰＤＳＣＨ最大コード多重数は、１ＴＴＩ（Ｔｒａｎｓｍｉｓｓｉｏｎ  Ｔｉｍｅ  Ｉｎｔｅｒｖａｌ、１ＴＴＩ＝２ｍｓと定義されている）あたりに多重される拡散コードの最大数である。コード多重数を増加させることにより１ＴＴＩあたりの下りデータサイズを大きくすることができる。
【０００９】
Ｍｉｎｉｍｕｍ  ｉｎｔｅｒ−ＴＴＩ  ｉｎｔｅｒｖａｌは、基地局から送信されるデータの周期を示す。例えば、Ｍｉｎｉｍｕｍ  ｉｎｔｅｒ−ＴＴＩ  ｉｎｔｅｒｖａｌ＝３の場合は３ＴＴＩに１ＴＴＩの割合でデータが送信される可能性があり、Ｍｉｎｉｍｕｍ  ｉｎｔｅｒ−ＴＴＩ  ｉｎｔｅｒｖａｌ＝１の場合は全ＴＴＩにデータが送信される可能性があることを示している。すなわち、Ｍｉｎｉｍｕｍ  ｉｎｔｅｒ−ＴＴＩ  ｉｎｔｅｒｖａｌの値は３の場合よりも１の場合の方が、データが密に詰めてデータ送信することが可能である。
【００１０】
ＨＳ−ＤＳＣＨ最大トランスポートブロックサイズは、１ＴＴＩあたりのＨＳ−ＤＳＣＨを復調及び復号した後のトランスポートブロックのサイズであり、サイズが大きいほど送信可能なデータ量が増大する。
【００１１】
なお、ＨＳ−ＤＳＣＨ（Ｈｉｇｈ  Ｓｐｅｅｄ−Ｄｏｗｎｌｉｎｋ  Ｓｈａｒｅｄ  ＣＨａｎｎｅｌ）はトランスポートチャネルであり、ＨＳ−ＤＳＣＨはＨＳ−ＰＤＳＣＨにマッピングされる。
【００１２】
ＩＲバッファサイズは、受信信号の復号過程における受信バッファの最大ビット数を示す。
【００１３】
また、カテゴリ１〜１０ではＴＴＩ毎に無線環境に応じてＱＰＳＫ変調方式又は１６ＱＡＭ方式が切り替え適用されるのに対し、カテゴリ１１及び１２ではＱＰＳＫ変調方式のみ適用される。
【００１４】
移動局は、電源起動後、当該移動局の能力を示すＵＥ（Ｕｓｅｒ  Ｅｑｕｉｐｍｅｎｔ）Ｃａｐａｂｉｌｔｙをネットワークに通知する。ＵＥ  Ｃａｐａｂｉｌｉｔｙには当該移動局に対応するカテゴリ情報が含まれる。
【００１５】
ＵＥ  Ｃａｐａｂｉｌｉｔｙが移動局が通信を行う基地局に対して通知された後は、基地局から移動局へ送信されるＨＳＤＰＡ下り信号についての各種パラメータは通知されたカテゴリ情報に規定されている範囲においてダイナミックに変化する。したがって、移動局は当該各種パラメータの範囲内の最大値で復調、復号処理等を行えるよう対応する。
【００１６】
なお、ＵＥ  ＣａｐａｂｉｌｉｔｙはＲＮＣ（Ｒａｄｉｏ  Ｎｅｔｗｏｒｋ  Ｃｏｎｔｒｏｌｌｅｒ）に通知され、移動局が別の基地局の通信エリアに移動する際は、ＲＮＣから当該移動局のカテゴリ情報が移動先の基地局へ通知される。
【００１７】
基地局において、通信エリア内に複数の異なるカテゴリの移動局が混在し、当該基地局から各々のカテゴリの移動局に対しデータ伝送する場合がある。
【００１８】
この場合、基地局はある移動局に対し、セル内に存在する当該移動局とは異なるカテゴリの移動局に対応するパラメータでデータ伝送を行う可能性もある。
【００１９】
一方、各移動局においては、自身に設定されたカテゴリのパラメータ範囲内の最大値での信号受信処理に対応できなければならない。
【特許文献１】特開２００５−３０３８５０
【非特許文献１】３Ｇ  ＴＳ  ２５．３０６（３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  ＵＥ  Ｒａｄｉｏ  Ａｃｃｅｓｓ  Ｃａｐａｂｉｌｉｔｉｅｓ）
【発明の開示】
【発明が解決しようとする課題】
【００２０】
上述の異なるカテゴリの移動局がセル内に混在する場合において、あるカテゴリの移動局は、基地局から当該移動局に対応するカテゴリのパラメータよりも低いパラメータで送信された信号を受信する際、自身のカテゴリのパラメータの範囲の最大値で受信処理を行うと、無駄に電流を消費してしまうという問題が生じる。
【００２１】
そこで、本発明は、複数の異なるカテゴリの移動局が混在し基地局と通信する場合に、移動局における消費電流の低減を図ることを目的とする。
【課題を解決するための手段】
【００２２】
本発明の一実施例では、自局のデータの伝送能力の範囲を示す第１の伝送能力情報をネットワークに通知する移動局において、前記第１の伝送能力情報に示される伝送能力の範囲とは異なる第２の伝送能力情報に示される伝送能力の範囲を示す情報を受信すると、該第２の伝送能力情報に示される伝送能力の範囲に応じた受信処理を行うよう制御する制御部を備えたことを特徴とする移動局を用いる。
【００２３】
本発明の一実施例では、データの伝送能力の範囲の異なる複数の移動局と無線通信を行う基地局において、第１の移動局でのデータの伝送能力の範囲を示す第１の伝送能力情報と、第２の移動局でのデータの伝送能力の範囲を示す第２の伝送能力情報とを受信する受信部と、該第１の移動局へ、該第２の伝送能力情報に示される伝送能力の範囲を示す情報を送信する送信部と、を備えたことことを特徴とする基地局を用いる。
【００２４】
本発明の一実施例では、移動局から送信された該移動局のデータの伝送能力の範囲を示す伝送能力情報を基地局が受信すると、該基地局は受信した該伝送能力情報に基づいて該移動局に対しデータ伝送を行う無線通信システムにおいて、前記基地局は、複数の異なる移動局のそれぞれから伝送能力情報を受信すると、受信した該伝送能力情報のうちのいずれかの伝送能力情報に示される伝送能力の範囲を示す情報を該移動局へ送信し、該移動局へ送信した該情報に示される伝送能力の範囲で該移動局に対しデータ伝送を行い、前記移動局は、該基地局から送信された該情報を受信すると、該情報に示されるデータ伝送能力の範囲に応じた受信処理を行う制御をする、ことを特徴とする無線通信システムを用いる。
【発明の効果】
【００２５】
本発明によれば、複数の異なるカテゴリの移動局が混在し基地局と通信する場合に、移動局における消費電流の低減を図ることが可能となる。
【発明を実施するための最良の形態】
【００２６】
以下、図面を用いて本発明の実施の形態について説明する。
（１）実施例の概要
(a)カテゴリに応じた信号受信処理
ＵＥ  Ｃａｐａｂｉｌｉｔｙにより、移動局の伝送能力情報（以下、カテゴリ情報と表記する）が基地局に通知された後は、基地局から当該移動局へ送信されるＨＳＤＰＡ下り信号についての各種パラメータは、通知されたカテゴリ情報に定義されているパラメータの範囲においてダイナミックに変化する。
【００２７】
例えば、カテゴリ６の移動局に対しては、基地局から最大コード多重数５、Ｍｉｎｉｍｕｍ  ｉｎｔｅｒ−ＴＴＩ  ｉｎｔｅｒｖａｌ＝１、ＱＰＳＫ又は１６ＱＡＭの変調方式の信号が送信される。
【００２８】
したがって、カテゴリ６の移動局は、１ＴＴＩ毎に基地局から送信されるコード多重数１〜５の信号の受信処理（復調、復号等）にダイナミックに対応する必要がある。また、１ＴＴＩ毎にデータがマッピングされる可能性があるので、全てのＴＴＩにおいて受信処理を行う必要がある。さらに、１ＴＴＩ毎にＱＰＳＫと１６ＱＡＭとをダイナミックに切り替えて復調を行う必要がある。
【００２９】
また、カテゴリ６の移動局の場合と比較してカテゴリ２、カテゴリ８、又はカテゴリ１２の移動局の場合は次のことが言える。
【００３０】
カテゴリ２の移動局に対しては、基地局からＭｉｎｉｍｕｍ  ｉｎｔｅｒ−ＴＴＩ  ｉｎｔｅｒｖａｌ＝３の信号が送信される。Ｍｉｎｉｍｕｍ  ｉｎｔｅｒ−ＴＴＩ  ｉｎｔｅｒｖａｌ＝３では最短周期で３ＴＴＩ中に１ＴＴＩの割合でしかデータがマッピングされない。よって、カテゴリ２の移動局では１ＴＴＩ毎に受信処理を行う必要はなく３ＴＴＩ中に１ＴＴＩの割合で受信処理を行えばよい。
【００３１】
したがって、カテゴリ２の移動局の場合はカテゴリ６の移動局の場合と比較して基地局との間のデータ伝送におけるスループットが低下するが、受信処理の頻度が少ない分消費電流が少ない。
【００３２】
カテゴリ８の移動局に対しては、基地局から最大コード多重数１０の信号が送信される。カテゴリ８の移動局は、１ＴＴＩ毎に基地局から送信されるコード多重数が１〜１０のいずれかのコード多重信号を受信するため、常時最大コード多重数である１０コードのコード多重信号の受信処理に備える必要がある。
【００３３】
したがって、カテゴリ８の移動局の場合はカテゴリ６の移動局の場合と比較して、基地局との間の１ＴＴＩあたりの伝送データ量を大きくすることができるが、より多重コード数の多い信号を受信処理する回路を動作させる分消費電流が多い。
【００３４】
カテゴリ１２の移動局に対しては、基地局からＱＰＳＫ変調方式により変調された信号のみが送信される。
【００３５】
したがって、カテゴリ１２の移動局の場合は、基地局から送信されるＱＰＳＫ変調方式による変調信号の復調処理のみに対応していればよいので、カテゴリ６の移動局の場合のように、常時ＱＰＳＫ変調方式による変調信号及び１６ＱＡＭ方式による変調信号の両方の信号の復調処理に対応している必要がない分消費電流が少ない。
(b)対応カテゴリ通知
図２は、基地局の通信エリアに複数の異なる伝送能力（以下、カテゴリと表記する）の移動局が混在する場合に、基地局とそれぞれの移動局との間で通信が行われる際のシーケンスを示す。
【００３６】
図２は、例えば基地局の通信エリア内にカテゴリ２の移動局Ａとカテゴリ６の移動局Ｂとが混在し、基地局から各々のカテゴリの移動局に対しデータ伝送する場合である。
【００３７】
基地局は、移動局Ａ及び移動局ＢからＵＥ  Ｃａｐａｂｉｌｉｔｙによりそれぞれカテゴリ２及びカテゴリ６の通知を受ける。
【００３８】
基地局においては、当該基地局の通信エリアにカテゴリ２とカテゴリ６の移動局が混在することを認識すると、移動局Ａ及び移動局Ｂに対し、カテゴリ２のパラメータの範囲内でＨＳＤＰＡ通信を開始する。
【００３９】
図２では、移動局Ａ及び移動局Ｂに対し、例えばＭｉｎｉｍｕｍ  ｉｎｔｅｒ−ＴＴＩ  ｉｎｔｅｒｖａｌ＝３のパターンでデータを送信する。
【００４０】
一方、移動局Ａでは、基地局から送信されるデータを、カテゴリ６のパラメータ範囲内であるＭｉｎｉｍｕｍ  ｉｎｔｅｒ−ＴＴＩ  ｉｎｔｅｒｖａｌ＝１で受信処理する。
【００４１】
また、移動局Ｂでは、基地局から送信されるデータを、カテゴリ２のパラメータ範囲内であるＭｉｎｉｍｕｍ  ｉｎｔｅｒ−ＴＴＩ  ｉｎｔｅｒｖａｌ＝３で受信処理する。
【００４２】
図３は、移動局Ａおよび移動局Ｂのそれぞれにおける、基地局から送信されるデータの受信タイミングと、受信処理装置（復調部、復号部等）の起動タイミングとの関係を示す図である。
【００４３】
基地局はＭｉｎｉｍｕｍ  ｉｎｔｅｒ−ＴＴＩ  ｉｎｔｅｒｖａｌ＝３、すなわち、最短周期２ｍｓ×３（＝６ｍｓ）毎のタイミングで移動局へデータが送信する。
【００４４】
一方、移動局Ａにおいては、Ｍｉｎｉｍｕｍ  ｉｎｔｅｒ−ＴＴＩ  ｉｎｔｅｒｖａｌ＝１の受信タイミング、すなわち、２ｍｓ毎のタイミングで受信処理装置が起動し、移動局Ｂにおいては、Ｍｉｎｉｍｕｍ  ｉｎｔｅｒ−ＴＴＩ  ｉｎｔｅｒｖａｌ＝３の受信タイミング、すなわち、２ｍｓ×３＝６ｍｓ毎のタイミングで受信処理装置が起動する。
【００４５】
したがって、移動局Ｂでは基地局からのデータ受信タイミングと受信処理装置の起動タイミングとを一致させることができるのに対し、移動局Ａでは基地局からのデータ受信タイミング以外のタイミングにも受信装置を起動することになる。
【００４６】
つまり、移動局Ａでは、本来は最短周期６ｍｓ毎に受信処理装置を起動すればよいところを、常時２ｍｓ毎に起動することになる。
【００４７】
図４は、基地局の通信エリアに複数の異なるカテゴリの移動局が混在する場合に、本実施例を適用して、基地局とそれぞれの移動局との間で通信が行われる際のシーケンスを示す。
【００４８】
図４は、図２と同様に基地局の通信エリア内にカテゴリ２の移動局Ａとカテゴリ６の移動局Ｂとが混在し、基地局から各々のカテゴリの移動局に対しデータ伝送する場合である。
【００４９】
基地局は、移動局Ａ及び移動局ＢからＵＥ  Ｃａｐａｂｉｌｉｔｙによりそれぞれカテゴリ２及びカテゴリ６の通知を受ける。
【００５０】
基地局は、当該基地局の通信エリアにカテゴリ２とカテゴリ６の移動局が混在することを認識すると、移動局Ａ及び移動局Ｂに対し、カテゴリ２のパラメータの範囲内でＨＳＤＰＡ通信を開始する。
【００５１】
この際、基地局は、対応カテゴリ情報を含む対応カテゴリ通知の信号を移動局へ送信する。
【００５２】
ここで、対応カテゴリ情報とは、基地局が通信を行ういずれかの移動局から送信されたＵＥ  Ｃａｐａｂｉｌｉｔｙに含まれるカテゴリ情報である。
【００５３】
なお、対応カテゴリ情報として選ばれるカテゴリ情報は、基地局が受信したいずれのカテゴリ情報で規定されるパラメータの範囲内にも含まれるパラメータの範囲が規定されているものであることが好ましい。
【００５４】
基地局は、対応カテゴリ情報で示されるカテゴリのパラメータの範囲内で移動局へデータ送信を行う。
【００５５】
図４では、基地局はカテゴリ２の対応カテゴリ情報を含む対応カテゴリ通知の信号を移動局Ａに送信する。
【００５６】
移動局Ａは、対応カテゴリ通知の信号を受信すると、カテゴリ２のパラメータの範囲内で信号の受信処理を行うよう受信処理装置等を設定する。
【００５７】
基地局は、移動局Ａ及び移動局Ｂに対し、例えばＭｉｎｉｍｕｍ  ｉｎｔｅｒ−ＴＴＩ  ｉｎｔｅｒｖａｌ＝３のタイミングでデータ送信を行う。
【００５８】
対応カテゴリ通知後の移動局Ａでは、基地局から送信されるデータを、カテゴリ２のパラメータ範囲内のＭｉｎｉｍｕｍ  ｉｎｔｅｒ−ＴＴＩ  ｉｎｔｅｒｖａｌ＝３のタイミングで受信処理する。
【００５９】
また、移動局Ｂでは、基地局から送信されるデータを、カテゴリ２のパラメータ範囲内のＭｉｎｉｍｕｍ  ｉｎｔｅｒ−ＴＴＩ  ｉｎｔｅｒｖａｌ＝３のタイミングで受信処理する。
【００６０】
なお、対応カテゴリ通知は、移動局Ｂに対しても行ってもよく、その場合、移動局Ｂはカテゴリ２の対応カテゴリ情報を含む対応カテゴリ通知の信号を受信すると、以後、カテゴリ２のパラメータで基地局から送信される信号の受信処理を行う。
【００６１】
図５は、基地局から移動局へ対応カテゴリ通知がなされた場合の、移動局Ａおよび移動局Ｂのそれぞれにおける、基地局から送信されるデータの受信タイミングと、受信処理装置の起動タイミングとの関係を示す図である。
【００６２】
基地局からはＭｉｎｉｍｕｍ  ｉｎｔｅｒ−ＴＴＩ  ｉｎｔｅｒｖａｌ＝３、すなわち、最短周期２ｍｓ×３（＝６ｍｓ）毎のタイミングでデータが送信される。
【００６３】
カテゴリ２の対応カテゴリ情報を含む対応カテゴリ通知の信号を受信した後は、移動局Ａと移動局Ｂとのいずれにおいても、Ｍｉｎｉｍｕｍ  ｉｎｔｅｒ−ＴＴＩ  ｉｎｔｅｒｖａｌ＝３の受信タイミング、すなわち、２ｍｓ×３（＝６ｍｓ）毎のタイミングで受信処理装置が起動する。
【００６４】
したがって、移動局Ａと移動局Ｂとのいずれにおいても基地局からのデータ受信タイミングと受信処理装置の起動タイミングとを一致させることができる。
【００６５】
これにより、移動局Ａは図３の場合と比較して、無駄な受信処理装置の起動を行わない分、消費電流を低減することが可能となる。
（２）全体構成例
図６は、本発明の実施例における通信システムの一例を示す図である。
【００６６】
図６の移動局において、１は送信部、２は受信部、３は対応カテゴリ情報メモリ、４は制御部を示す。また、図６の基地局において、５は受信部、６は制御部、７は送信部を示す。
【００６７】
移動局の送信部１は、移動局に予め設定されているカテゴリ情報を含むＵＥ  Ｃａｐａｂｉｌｉｔｙをネットワークに対して送信する。
【００６８】
受信部２は、無線信号を受信し、受信信号の復調、復号等所定の受信処理を行う。
【００６９】
また、受信部２は基地局から送信される対応カテゴリ情報を受信し、当該対応カテゴリ情報を対応カテゴリ情報メモリ３へ送出する。
【００７０】
対応カテゴリ情報メモリ３は、受信部２から送出された対応カテゴリ情報を記憶する。なお、受信部２から新たに対応カテゴリ情報が送出されてきた場合は、元に記憶されていた対応カテゴリ情報は、新たな対応カテゴリ情報により上書きされる。
【００７１】
制御部４は、対応カテゴリ情報メモリ３に対応カテゴリ情報が記憶されている場合、当該対応カテゴリ情報に基づき受信部２における受信処理動作を制御する。
【００７２】
基地局の受信部５は、移動局から送信されるＵＥ  Ｃａｐａｂｉｌｉｔｙを受信し、当該ＵＥ  Ｃａｐａｂｉｌｉｔｙを制御部６へ送出する。
【００７３】
制御部６は、受信部５から送出されたＵＥ  Ｃａｐａｂｉｌｉｔｙを受信し、ＵＥ  Ｃａｐａｂｉｌｉｔｙに含まれるカテゴリ情報を保持する。
【００７４】
制御部６は、異なる複数のカテゴリ情報を保持する場合、その中のいずれかのカテゴリ情報を対応カテゴリ情報として送信部７へ送出する。
【００７５】
また、制御部６は、対応カテゴリ情報を送出した後は、送出した対応カテゴリ情報に規定されたパラメータの範囲内で移動局へデータ送信を行うよう、送信部７における送信処理動作を制御する。
【００７６】
送信部７は、無線信号を送信するための変調、符号化等所定の送信処理を行う。
【００７７】
また、送信部７は、制御部６から送出された対応カテゴリ情報を移動局へ送信する。
（３）移動局
図７に、従来の移動局における受信部の装置図の一例を示す。
【００７８】
図７において、８はアンテナ、９はＲＦ（Ｒａｄｉｏ  Ｆｒｅｑｕｅｎｃｙ）部、１０は復調部、１１は復号部、１２はＴＴＩ信号発生部を示す。
【００７９】
アンテナ８で受信した信号は、ＲＦ部９においてダウンコンバージョンにより周波数変換される。
【００８０】
復調部１０は、ＨＳ−ＳＣＣＨ及びＨＳ−ＤＳＣＨの復調処理（直交検波、コード逆拡散等）を行う。
【００８１】
復号部１１は、ＨＳ−ＳＣＣＨ及びＨＳ−ＤＳＣＨの復号処理を行う。
【００８２】
ＴＴＩ信号発生部１２は、復調部１０及び復号部１１のそれぞれにおける処理装置の動作タイミングの管理を行う。
【００８３】
ＴＴＩ信号発生部１２は、移動局が対応しているカテゴリに規定されているＭｉｎｉｍｕｍ  ｉｎｔｅｒ−ＴＴＩ  ｉｎｔｅｒｖａｌで受信信号の復調処理及び復号処理が行われるよう、復調部１０及び復号部１１のそれぞれへ、処理装置の動作タイミングを示す信号（以下、ＴＴＩ信号と記載する）を送信する。
【００８４】
例えば、カテゴリ６の移動局のＴＴＩ信号発生部１２は、Ｍｉｎｉｍｕｍ  ｉｎｔｅｒ−ＴＴＩ  ｉｎｔｅｒｖａｌ＝１の受信タイミングなので、１ＴＴＩ毎（２ｍｓ間隔）にＴＴＩ信号を送信する。
【００８５】
復調部１０及び復号部１１は、ＴＴＩ信号の受信に基づいてそれぞれ復調処理、符号処理を行う。
【００８６】
以下、本実施例における移動局での装置動作概要を説明する。
(a)タイミングの制御
図８は、対応カテゴリ情報通知に伴いＭｉｎｉｍｕｍ  ｉｎｔｅｒ−ＴＴＩ  ｉｎｔｅｒｖａｌが変更される場合の装置動作例を示す図である。
【００８７】
図８において、１３はアンテナ、１４はＲＦ部、１５は復調部、１６は復号部、１７はＴＴＩ信号発生部、１８は対応カテゴリ情報メモリ、１９はパワーＯＮ制御部、２０、２１はタイミング変更部を示す。
【００８８】
アンテナ１３で受信した信号は、ＲＦ部１４においてダウンコンバージョンにより周波数変換される。
【００８９】
復調部１５は、ＨＳ−ＳＣＣＨ及びＨＳ−ＤＳＣＨの復調処理（直交検波、コード逆拡散等）を行う。
【００９０】
復号部１６は、ＨＳ−ＳＣＣＨ及びＨＳ−ＤＳＣＨの復号処理を行う。
【００９１】
ＴＴＩ信号発生部１７は、復調部１５及び復号部１６のそれぞれにおける処理装置の起動タイミングの管理を行う。
【００９２】
ＴＴＩ信号発生部１７は、移動局が対応しているカテゴリに規定されているＭｉｎｉｍｕｍ  ｉｎｔｅｒ−ＴＴＩ  ｉｎｔｅｒｖａｌで受信信号の復調処理及び復号処理が行われるよう、復調部１０及び復号部１１のそれぞれへ、ＴＴＩ信号を送信する。
【００９３】
対応カテゴリ情報メモリ１８は、基地局から送信された対応カテゴリ情報を受信した場合に、当該対応カテゴリ情報を記憶する。
【００９４】
また、対応カテゴリ情報メモリ１８に新たに対応カテゴリ情報が送られてきたときは、当該新たな対応カテゴリ情報を既に記憶している対応カテゴリ情報に上書きする。
【００９５】
パワーＯＮ制御部１９は、対応カテゴリ情報メモリ１８に記憶されている対応カテゴリ情報を取得し、当該対応カテゴリ情報で規定されているＭｉｎｉｍｕｍ  ｉｎｔｅｒ−ＴＴＩ  ｉｎｔｅｒｖａｌから受信処理装置のパワーＯＮ頻度を検出する。
【００９６】
パワーＯＮ制御部１９は、検出したパワーＯＮ頻度を示す情報（以下、パワーＯＮ頻度情報と記載する）をタイミング変更部２０、２１に送出する。
【００９７】
タイミング変更部２０及びタイミング変更部２１は、ＴＴＩ信号発生部１７から送出されるＴＴＩ信号と、パワーＯＮ制御部１９から送出されるパワーＯＮ頻度情報とを受信する。
【００９８】
タイミング変更部２０及びタイミング変更部２１は、受信したパワーＯＮ頻度情報に示されたタイミングの周期で、ＴＴＩ信号発生部１７から送出されたＴＴＩ信号をそれぞれ復調部１５及び復号部１６へ送出するよう制御を行う。
【００９９】
このような制御は、例えば、受信するパワーＯＮ頻度情報の信号とＴＴＩ信号とのＡＮＤ演算により行われる。
【０１００】
ただし、対応カテゴリ情報メモリ１８に対応カテゴリ情報が記憶されていないとき、復調部１５及び復号部１６へＴＴＩ信号発生部１７からのＴＴＩ信号がそのまま送出される。
【０１０１】
例えば、カテゴリ６の移動局がカテゴリ６（Ｍｉｎｉｍｕｍ  ｉｎｔｅｒ−ＴＴＩ  ｉｎｔｅｒｖａｌ＝１）の対応カテゴリ情報を受信する場合、パワーＯＮ制御部１９は対応カテゴリ情報メモリ１８からカテゴリ６の対応カテゴリ情報を取得し、この対応カテゴリ情報からパワーＯＮ頻度“１ＴＴＩ毎”を検出する。
【０１０２】
パワーＯＮ制御部１９は“１ＴＴＩ毎”を示すパワーＯＮ頻度情報をタイミング変更部２０及びタイミング変更部２１へ送出する。
【０１０３】
タイミング変更部２０及びタイミング変更部２１は、パワーＯＮ頻度情報を受信すると、ＴＴＩ信号発生部１７で送出されるＴＴＩ信号のタイミングで、それぞれ復調部１５及び復号部１６へＴＴＩ信号を送出する。
【０１０４】
復調部１５及び復号部１６はそれぞれＴＴＩ信号を受信する１ＴＴＩ毎のタイミングで動作する。
【０１０５】
一方、カテゴリ６の移動局がカテゴリ２（Ｍｉｎｉｍｕｍ  ｉｎｔｅｒ−ＴＴＩ  ｉｎｔｅｒｖａｌ＝３）の対応カテゴリ情報を受信する場合、パワーＯＮ制御部１９は対応カテゴリ情報メモリ１８から取得するカテゴリ２の対応カテゴリ情報からパワーＯＮ頻度“３ＴＴＩ毎”を検出する。
【０１０６】
パワーＯＮ制御部１９は“３ＴＴＩ毎”を示すパワーＯＮ頻度情報をタイミング変更部２０及びタイミング変更部２１へ送出する。
【０１０７】
タイミング変更部２０及びタイミング変更部２１は、パワーＯＮ頻度情報を受信すると、ＴＴＩ信号発生部１７から送出されるＴＴＩ信号を３回に１回の周期でそれぞれ復調部１５及び復号部１６へ送出する制御を行う。
【０１０８】
復調部１５及び復号部１６はそれぞれＴＴＩ信号を受信する３ＴＴＩ毎のタイミングで動作する。
【０１０９】
したがって、対応カテゴリ情報がカテゴリ２の場合はカテゴリ６の場合と比較して、復調部１５及び復号部１６における消費電流を低減することが可能となる。
(b)コード数の制御
図９は、対応カテゴリ情報通知に伴い最大コード多重数が変更される場合の装置動作例を示す図である。
【０１１０】
図９において、２２はＨＳ−ＤＳＣＨ復調部、２３はコード回路、２４はスイッチ、２５は復調コード数制御部を示す。図８と重複する部分には同一の符号を付し説明を省略する。
【０１１１】
ＨＳ−ＤＳＣＨ復調部２２はＨＳ−ＤＳＣＨの復調処理を行う。
【０１１２】
コード回路２３は、受信したコード多重信号の逆拡散に用いる回路を示す。図９に示すコード回路２３は１０種類のコード回路を有するので、最大コード多重数１０の信号の復調処理を行うことが可能である。
【０１１３】
スイッチ２４は、後述の復調コード数制御部２５から送出されるコード回路ＯＮ信号に応じて受信信号の逆拡散に用いるコード回路を切り替える。
【０１１４】
復調コード数制御部２５は、対応カテゴリ情報メモリ１８に記憶されている対応カテゴリ情報を取得する。
【０１１５】
復調コード数制御部２５は、取得した対応カテゴリ情報に規定されている最大コード多重数のコード回路が動作可能となるようスイッチ２４の切り替えを制御するコード回路ＯＮ信号を送出する。
【０１１６】
図９においては、スイッチ２４は、コード回路ＯＮ信号に応じて、コード回路２３のうち動作させるコード回路を５種類の回路（コード１〜５）又は１０種類の回路（コード１〜１０）の二通りに切り替えることが可能である。
【０１１７】
したがって、対応カテゴリ情報に規定されている最大コード多重数が５の場合は、スイッチ２４の切り替えにより、コード回路２３のうちコード１〜５を動作させ、コード６〜１０は動作させないように制御することができる。
【０１１８】
例えば、カテゴリ８の移動局では、最大コード多重数が１０であるので、コード多重数１０の信号の復調処理に対応できるよう１０種類のコード回路（コード１〜１０）を備えている。
【０１１９】
カテゴリ８の移動局がカテゴリ６（最大コード多重数５）の対応カテゴリ情報を受信した場合、復調コード数制御部２５はカテゴリ６の対応カテゴリ情報を取得し、最大コード多重数５に対応するコード回路を動作させるよう制御するコード回路ＯＮ信号をスイッチ２４へ送出する。
【０１２０】
すなわち、復調コード数制御部２５は５種類の回路（コード１〜５）を動作させるよう制御するコード回路ＯＮ信号を送出する。
【０１２１】
スイッチ２４は、コード回路ＯＮ信号を受信し、この信号に基づき、コード回路２３のうち動作させる回路を１０種類の回路（コード１〜１０）から５種類の回路（コード１〜５）へ切り替える。
【０１２２】
したがって、カテゴリ８の移動局は、対応カテゴリ情報（カテゴリ６）に応じてＨＳ−ＤＳＣＨ復調部で動作させるコード回路の数を半分に変更できるので、消費電流を低減することが可能となる。
(c)変調方式の制御
図１０は、対応カテゴリ情報通知に伴い変調方式（復調方式）が変更される場合の装置動作例を示す図である。
【０１２３】
図１０において、２６はＱＰＳＫ復調回路、２７は１６ＱＡＭ復調回路、２８はスイッチ、２９は復調回路制御部を示す。図８又は図９と重複する部分には同一の符号を付し説明を省略する。
【０１２４】
ＱＰＳＫ復調回路２６は、ＱＰＳＫ変調方式により変調された信号の復調処理を行う。
【０１２５】
１６ＱＡＭ復調回路２７は、１６ＱＡＭ変調方式により変調された信号の復調処理を行う。
【０１２６】
スイッチ２８は、後述の復調回路制御部２９から送出される復調回路ＯＮ信号に応じて、ＱＰＳＫ復調回路２６のみ、又は、ＱＰＳＫ復調回路２６及び１６ＱＡＭ復調回路２７の両方を動作させる切り替えを行う。
【０１２７】
復調回路制御部２９は、対応カテゴリ情報メモリ１８に記憶させている対応カテゴリ情報を取得する。
【０１２８】
復調回路制御部２９は、取得した対応カテゴリ情報に規定されている信号変調方式に応じて、ＱＰＳＫ復調回路２６のみ、又は、ＱＰＳＫ復調回路２６及び１６ＱＡＭ復調回路２７の両方を動作させる制御を行う復調回路ＯＮ信号をスイッチ２８へ送出する。
【０１２９】
例えば、カテゴリ６の移動局では、受信信号の復調方式をダイナミックに変化させるため、ＱＰＳＫ復調回路２６及び１６ＱＡＭ復調回路２７の両方を動作する。
【０１３０】
一方、カテゴリ６の移動局が、カテゴリ１２の対応カテゴリ情報を受信した場合、復調回路制御部２９はカテゴリ１２の対応カテゴリ情報を取得し、ＱＰＳＫ復調回路２６のみを動作させる制御を行う復調回路ＯＮ信号をスイッチ２８へ送出する。
【０１３１】
スイッチ２８は復調回路ＯＮ信号を受信すると、ＱＰＳＫ復調回路２６のみ動作させるよう回路を切り替える。
【０１３２】
したがって、カテゴリ６の移動局は、対応カテゴリ情報（カテゴリ１２）に応じてＨＳ−ＤＳＣＨ変調部で動作させる復調回路をＱＰＳＫ復調回路２６及び１６ＱＡＭ復調回路２７の両方からＱＰＳＫ復調回路２６のみに変更できるので、電流消費を低減することが可能となる。
(d)その他
本実施例の移動局では、上記(a)〜(b)に示した機能を備えることが好ましいが、(a)〜(b)のいずれかを備えるものでもよい。
【０１３３】
また、本実施例において、移動局が基地局から対応カテゴリ情報を受信する前、すなわち、対応カテゴリ情報メモリに対応カテゴリ情報が記憶されていないときは、移動局に予め設定されているカテゴリのパラメータで各装置が動作する。
（４）基地局
図１１は、本実施例における基地局が複数の移動局（移動局＃１、＃２、…）からカテゴリ情報を含むＵＥ  Ｃａｐａｂｉｌｉｔｙを受信するときの装置動作概要を示す図である。
【０１３４】
図１１において、３０はアンテナ、３１はＲＦ部、３２は復調部、３３復号部、３４は制御部、３５は符号部、３６は変調部を示す。
【０１３５】
ＲＦ部３１は、アンテナ３０で受信したＵＥ  Ｃａｐａｂｉｌｉｔｙの信号を周波数変換する。
【０１３６】
復調部３２及び復号処理３３ではそれぞれ、受信した複数の移動局についてのＵＥ  Ｃａｐａｂｉｌｉｔｙの信号を復調及び復号する。
【０１３７】
復号部３３で復号された、各移動局についてのＵＥ  Ｃａｐａｂｉｌｉｔｙの信号は制御部３４へ送出される。
【０１３８】
制御部３４では、各移動局からのＵＥ  Ｃａｐａｂｉｌｉｔｙに含まれるカテゴリ情報を受信する。
【０１３９】
制御部３４は、受信したカテゴリ情報と当該カテゴリ情報の送信元の移動局とを対応付けて記憶する。
【０１４０】
制御部３４は、各移動局へ通知する対応カテゴリを決定しそれぞれの移動局宛の対応カテゴリ情報を送信する。
【０１４１】
例えば、制御部３４における各移動局へ通知する対応カテゴリは、各移動局へ送信するデータ量により決定する。
【０１４２】
例えば、制御部３４は、カテゴリ２（Ｍｉｎｉｍｕｍ  ｉｎｔｅｒ−ＴＴＩ  ｉｎｔｅｒｖａｌ＝３）の移動局のカテゴリ情報とカテゴリ６（Ｍｉｎｉｍｕｍ  ｉｎｔｅｒ−ＴＴＩ  ｉｎｔｅｒｖａｌ＝１）の移動局のカテゴリ情報とを受信する。
【０１４３】
この場合、制御部３４は、カテゴリ２の移動局に対してはＭｉｎｉｍｕｍ  ｉｎｔｅｒ−ＴＴＩ  ｉｎｔｅｒｖａｌ＝３の方式で、カテゴリ６の移動局に対しては毎Ｍｉｎｉｍｕｍ  ｉｎｔｅｒ−ＴＴＩ  ｉｎｔｅｒｖａｌ＝１、Ｍｉｎｉｍｕｍ  ｉｎｔｅｒ−ＴＴＩ  ｉｎｔｅｒｖａｌ＝２、Ｍｉｎｉｍｕｍ  ｉｎｔｅｒ−ＴＴＩ  ｉｎｔｅｒｖａｌ＝３のいずれかの方式でデータ送信を行うことを認識する。
【０１４４】
カテゴリ６の移動局に対しては、基地局から移動局への送信データ量が多い場合、Ｍｉｎｉｍｕｍ  ｉｎｔｅｒ−ＴＴＩ  ｉｎｔｅｒｖａｌ＝１でデータ送信を行い、送信データ量が少ない場合、Ｍｉｎｉｍｕｍ  ｉｎｔｅｒ−ＴＴＩ  ｉｎｔｅｒｖａｌ＝３でデータ送信を行うことが可能である。
【０１４５】
上記のデータ送信量が少ない場合において、制御部３４はカテゴリ６の移動局に対してもカテゴリ２の移動局に合わせてＭｉｎｉｍｕｍ  ｉｎｔｅｒ−ＴＴＩ  ｉｎｔｅｒｖａｌ＝３でデータ送信を行うことを判断し、各移動局宛のカテゴリ２の対応カテゴリ情報を送出する。
【０１４６】
符号部３５、変調部３６では、各移動局宛の対応カテゴリ情報をそれぞれ符号化、変調する。
【０１４７】
各移動局宛の対応カテゴリ情報は、ＲＦ部３１で周波数変換された後、アンテナ３０を介して各移動局へ送信される。
【図面の簡単な説明】
【０１４８】
【図１】カテゴリ
【図２】従来のＵＥ  Ｃａｐａｂｉｌｉｔｙ通知シーケンス
【図３】移動局Ａおよび移動局Ｂのそれぞれにおける、基地局から送信されるデータの          受信タイミングと、受信処理装置の起動タイミングとの関係（従来例）
【図４】本実施例による基地局−移動局間の通信が行われる際のシーケンス
【図５】本実施例を適用する場合の、基地局から送信されるデータの受信タイミングと          受信処理装置の起動タイミングとの関係
【図６】本発明の実施例における通信システムの一例
【図７】従来の移動局における受信部の装置図の一例
【図８】Ｍｉｎｉｍｕｍ  ｉｎｔｅｒ−ＴＴＩ  ｉｎｔｅｒｖａｌが変更される場合の          装置動作例
【図９】最大コード多重数が変更される場合の装置動作例
【図１０】変調方式（復調方式）が変更される場合の装置動作例
【図１１】基地局の装置動作例
【符号の説明】
【０１４９】
１  移動局の受信部
２  移動局の送信部
３  移動局の制御部
４  対応カテゴリ情報メモリ
５  基地局の受信部
６  基地局の制御部
７  基地局の送信部
８  アンテナ（従来例）
９  ＲＦ部（従来例）
１０  復調部（従来例）
１１  復号部（従来例）
１２  ＴＴＩ信号発生部（従来例）
１３  アンテナ
１４  ＲＦ部
１５  復調部
１６  復号部
１７  ＴＴＩ信号発生部
１８  対応カテゴリ情報メモリ
１９  パワーＯＮ制御部
２０、２１  タイミング変更部
２２  ＨＳ−ＤＳＣＨ復調部
２３  コード回路
２４  スイッチ（コード回路）
２５  復調コード数制御部
２６  ＱＰＳＫ復調回路
２７  １６ＱＡＭ復調回路
２８  スイッチ（復調回路）
２９  復調回路制御部
３０  アンテナ
３１  ＲＦ部
３２  復調部
３３  復号部
３４  制御部
３５  符号部
３６  変調部
【図１】
2009224972.tif 000003
【図２】
2009224972.tif 000004
【図３】
2009224972.tif 000005
【図４】
2009224972.tif 000006
【図５】
2009224972.tif 000007
【図６】
2009224972.tif 000008
【図７】
2009224972.tif 000009
【図８】
2009224972.tif 000010
【図９】
2009224972.tif 000011
【図１０】
2009224972.tif 000012
【図１１】
2009224972.tif 000013